(57)【要約】  本発明は、ユーザ１の皮膚コンダクタンスを測定するための、ユーザにより着用可能な着用可能装置であって、該ユーザの皮膚２に接触するための少なくとも２つの皮膚コンダクタンス電極１２と、皮膚コンダクタンス電極１２を取り囲み材料表面１６を形成する弾性材料部分１４と、を有する着用可能装置１０に関する。弾性材料部分１４の弾性材料は、気体及び液体の物質に対して非透過性である。本発明は更に、斯かる着用可能装置１０を製造する方法に関する。
2014523782.tif 000002
【特許請求の範囲】
【請求項１】
ユーザの皮膚コンダクタンスを測定するための、ユーザにより着用可能な着用可能装置であって、
前記ユーザの皮膚に接触するための少なくとも２つの皮膚コンダクタンス電極と、
前記皮膚コンダクタンス電極を取り囲み材料表面を形成する弾性材料部分と、
を有し、前記弾性材料部分の弾性材料は、気体及び液体の物質に対して非透過性である、着用可能装置。
【請求項２】
前記弾性材料部分は、前記皮膚コンダクタンス電極がユーザの皮膚に接触したとき、前記皮膚コンダクタンス電極の近傍において、エアポケットが封止されるように構成された、請求項１に記載の着用可能装置。
【請求項３】
前記弾性材料は、高分子又はゴムである、請求項１に記載の着用可能装置。
【請求項４】
前記弾性材料は、特定の混合比のポリウレタン樹脂混合物である、請求項１に記載の着用可能装置。
【請求項５】
前記ポリウレタン樹脂混合物は、約１００：４０の比のポリエーテルポリオール及び４，４'−ジフェニルメタンジイソシアネートからつくられた、請求項４に記載の着用可能装置。
【請求項６】
前記皮膚コンダクタンス電極は、前記材料表面から突出している、請求項１に記載の着用可能装置。
【請求項７】
前記皮膚コンダクタンス電極は、前記材料表面から５０乃至１０００マイクロメートルだけ突出し、とりわけ１００乃至７００マイクロメートルだけ突出している、請求項６に記載の着用可能装置。
【請求項８】
非弾性材料からつくられた筺体部分を更に有する、請求項１に記載の着用可能装置。
【請求項９】
前記弾性材料部分の弾性材料は、特定の混合比のポリウレタン樹脂混合物であり、前記筺体部分は、異なる混合比の同一のポリウレタン樹脂混合物からつくられた、請求項８に記載の着用可能装置。
【請求項１０】
前記皮膚コンダクタンス電極間においてユーザの皮膚コンダクタンスを測定するように構成された、皮膚コンダクタンス測定ユニットを更に有する、請求項１に記載の着用可能装置。
【請求項１１】
前記皮膚コンダクタンス測定ユニットは、少なくとも部分的に前記筺体部分に配置された、請求項１０に記載の着用可能装置。
【請求項１２】
前記弾性材料は、ユーザの手首の形状に追従するのに十分な弾性を持つ、請求項１２に記載の着用可能装置。
【請求項１３】
ユーザの皮膚コンダクタンスを測定するための、ユーザにより着用可能な着用可能装置を製造する方法であって、
前記ユーザの皮膚に接触するための少なくとも２つの皮膚コンダクタンス電極を備えるステップと、
前記皮膚コンダクタンス電極を取り囲み材料表面を形成する弾性材料部分を形成するステップと、
を有し、
前記弾性材料部分の弾性材料は、気体及び液体の物質に対して非透過性であり、
前記弾性材料部分は、前記皮膚コンダクタンス電極がユーザの皮膚に接触したとき、前記皮膚コンダクタンス電極の近傍において、エアポケットが封止されるように構成された、方法。
【請求項１４】
非弾性材料からつくられた筺体部分を形成するステップを更に有する、請求項１３に記載の方法。
【請求項１５】
前記弾性材料部分は、射出成型により形成される、請求項１３に記載の方法。
【発明の詳細な説明】
【技術分野】
【０００１】
本発明は、ユーザの皮膚コンダクタンスを測定するためのユーザによって着用可能な着用可能装置であって、ユーザの皮膚に接触するための（及び間の皮膚コンダクタンスを測定するための）少なくとも２つの皮膚コンダクタンス電極、特に乾燥電極を有する着用可能装置に関する。本発明は更に、斯かる着用可能装置を製造する方法に関する。
【背景技術】
【０００２】
ユーザの皮膚コンダクタンスは、ユーザの覚醒度のレベルに関連することが知られている。ユーザが感情的に触れる全てのものは、皮膚における汗腺を活性化させ、皮膚を通す優れた伝導経路に導く。例えば、既知の嘘発見器又はポリグラフにおいては、手のひら又は指に接続された皮膚コンダクタンスセンサが利用される。
【０００３】
しかしながら、皮膚コンダクタンスは、ユーザの身体の他の部分においても測定されることができる。実際に、多くの部位において、あまり微細ではない構造及び低い信号対ノイズ比でではあるが、皮膚コンダクタンスが測定されることができる。例えば、（皮膚コンダクタンス）リストバンドを用いて、ユーザの手首において皮膚コンダクタンスが測定されることができる。
【０００４】
皮膚コンダクタンスリストバンドを用いることは、測定の期間がかなり長くなり得るという点において、従来の皮膚コンダクタンス測定方法とは異なる。該期間は、数週間にも及び得る。このことは、皮膚の炎症又は皮膚の色変化といった、リストバンドを着用するユーザに対する問題を引き起こさない、リストバンドと皮膚との間のインタフェースの使用を必要とする。
【０００５】
米国特許出願公開US2010/0268056A1は、皮膚電位（ＥＤＡ）を検出するためのセンサを備えた柔軟なリストバンド／腕バンドを開示している。ＥＤＡセンサのための回路は、該バンドにおける疎水性のポーチ内に嵌合され固定される。疎水性で通気性のある材料が、回路のためのポーチを形成するため、及び着用可能なバンドの一部を形成するために利用される。柔軟な通気性のある材料によって、電極がホストされる。幾つかの実施例においては、当該柔軟な通気性のある材料のために使用される材料は、ポーチを形成するために利用される通気性のある疎水性材料と同じであっても良い。手首は、ＥＤＡを測定するための標準的な部位ではない。なぜなら、手首の汗腺は、従来ＥＤＡが測定される手のひらにおける汗腺よりも敏感ではないからである。この問題は、乾燥電極の使用とあわせて、皮膚と電極との間に確立される水分が、手首における反応性の範囲を示すのに十分となるまでに、通常は少なくとも１５分（湿度や個人の体温に依存する）を要することを意味する。
【０００６】
斯かるリストバンドの問題点は、特定の割合のユーザについて、皮膚コンダクタンス測定信号が記録されるには低すぎることであり得る。従って、幾分かのユーザについて、非常に貧弱な皮膚コンダクタンス測定しか得られないか、又は全く皮膚コンダクタンス測定が得られないこととなり得る。
【０００７】
本発明の目的は、とりわけ長期間の使用又は測定に対して、特に異なる皮膚タイプを持つ種々の異なるユーザに対して、又は基本的に各ユーザについて、及び／又は種々の周囲環境において、改善された皮膚コンダクタンスの測定を提供する、ユーザの皮膚コンダクタンスを測定するための、ユーザにより着用可能な着用可能装置を提供することにある。本発明の更なる目的は、斯かる着用可能装置を製造する方法を提供することにある。
【０００８】
本発明の第１の態様においては、ユーザの皮膚コンダクタンスを測定するための、ユーザにより着用可能な着用可能装置であって、前記ユーザの皮膚に接触するための少なくとも２つの皮膚コンダクタンス電極と、前記皮膚コンダクタンス電極を取り囲み材料表面を形成する弾性材料部分と、を有する着用可能装置が提示される。前記弾性材料部分の弾性材料は、気体及び液体の物質に対して非透過性である。
【０００９】
本発明の更なる態様においては、ユーザの皮膚コンダクタンスを測定するための、ユーザにより着用可能な着用可能装置を製造する方法であって、前記ユーザの皮膚に接触するための少なくとも２つの皮膚コンダクタンス電極を備えるステップと、前記皮膚コンダクタンス電極を取り囲み材料表面を形成する弾性材料部分を形成するステップと、を有する方法が提示される。前記弾性材料部分の弾性材料は、気体及び液体の物質に対して非透過性である。
【００１０】
本発明の基本的な着想は、気体及び液体の物質に対して非透過性である弾性材料からつくられた皮膚コンダクタンス電極を取り囲む（特に円周方向に包囲する）弾性材料部分を有する、とりわけリストバンド、腕バンド、アンクルバンド等の、着用可能装置であって、これにより該着用可能装置がユーザにより着用されたときに、皮膚と電極との間に流体膜が生成される、着用可能装置を提供することである。とりわけ、該弾性材料は、例えば水、水蒸気及び／又は空気を含む、いずれの気体及び液体の物質に対しても非透過性である。該弾性材料は空気に対して非透過性であるから、該弾性材料はとりわけ通気性のないものである。該弾性材料は水に対して非透過性であるから、該弾性材料はとりわけ透水性のないものである。該流体膜は、汗腺からのユーザの（人間の）汗から形成される。気体及び液体の物質に対して非透過性である弾性材料を用いることにより、外部環境への流体の蒸発に加えた皮膚の再取り込みを通した流体損失が、汗腺を通した流体生成よりも低くなる。このようにして、基本的に各ユーザについて、及び／又は種々の周囲環境において、信頼性高い皮膚コンダクタンスの測定が提供される。皮膚コンダクタンス値は、常に測定可能範囲内となる。斯くして、皮膚コンダクタンスを測定する際のいわゆる「無反応」の数が、著しく減少させられ又は取り除かれる。安定した流体膜は、（とりわけ電極間における）皮膚コンダクタンス電極のすぐ周囲又は該電極の近傍において安定した微気候を引き起こす。斯くして、皮膚コンダクタンス電極を取り囲む弾性材料部分の使用は、湿潤な微気候を生成し、基本的に常に、基本的に全てのユーザに対して、皮膚コンダクタンス測定又はセンサデータを測定可能範囲内にとどまらせる。斯くして、全ての皮膚タイプ及び全ての周囲環境について、高い皮膚コンダクタンスレベルが実現されることができる。
【００１１】
一実施例においては、前記弾性材料部分は、前記皮膚コンダクタンス電極がユーザの皮膚に接触したとき、前記皮膚コンダクタンス電極の近傍において、エアポケットが封止されるように構成される。エアポケットを封止することにより、外部雰囲気からの、皮膚コンダクタンス電極を囲む小さな領域の密封した封止が実現される。このことは、皮膚コンダクタンスの測定を更に改善する。
【００１２】
一実施例においては、前記弾性材料は、高分子又はゴムである。これらの材料は、該弾性材料として利用されるのに特に適している。
【００１３】
別の実施例においては、前記弾性材料は、特定の混合比におけるポリウレタン樹脂混合物である。非常に特定的な混合比のポリウレタンを使用することは、特に気体及び液体の物質についての透過性のような材料特性に影響を与えることを示している。
【００１４】
本実施例の変形例においては、前記ポリウレタン樹脂混合物は、約１００：４０の比のポリエーテルポリオール及び４，４'−ジフェニルメタンジイソシアネート（ＣＡＳ１０１−６８−８としても知られている）からつくられる。ポリウレタン樹脂の当該特定の混合物は、特に適していることが示されている。とりわけ、当該材料はタイプ６１２０として知られ、例えばMTT Technology Group社により製造されている。別の実施例においては、前記皮膚コンダクタンス電極は、前記材料表面から突出している。該皮膚コンダクタンス電極の突出は、封止されたエアポケットを生成することを可能とする。
【００１５】
本実施例の変形例においては、前記皮膚コンダクタンス電極は、前記材料表面から５０乃至１０００マイクロメートルだけ突出し、とりわけ１００乃至７００マイクロメートルだけ突出する。これら突出距離は、エアポケットを封止するために特に好適であることが示されている。
【００１６】
別の実施例においては、前記着用可能装置は更に、非弾性材料からつくられる筺体部分を有する。前記筺体部分のために非弾性材料を用いることは、更に堅固な装置をもたらす。
【００１７】
本実施例の変形例においては、前記弾性材料部分の弾性材料は、特定の混合比のポリウレタン樹脂混合物であり、前記筺体部分は、異なる混合比の同一のポリウレタン樹脂混合物からつくられる。異なる混合比で同一のポリウレタン樹脂混合物を用いることにより、製造方法が簡略化され、及び／又は該弾性材料部分と該筺体部分との間の装着が改善される。
【００１８】
別の実施例においては、前記着用可能装置は更に、前記皮膚コンダクタンス電極間においてユーザの皮膚コンダクタンスを測定するように構成された、皮膚コンダクタンス測定ユニットを有する。このようにして、皮膚コンダクタンスセンサが備えられる。該皮膚コンダクタンスセンサは、例えばリストバンド、腕バンド、アンクルバンド等のような、該着用可能装置に組み込まれる。特に、該皮膚コンダクタンス測定ユニット又はセンサは、少なくとも２つの皮膚コンダクタンス電極間に電圧を印加するための電圧生成器、該少なくとも２つの皮膚コンダクタンス電極間の電流を感知するための感知ユニット、及び／又は該感知された電流に基づいて皮膚コンダクタンスを算出するための算出ユニットを有しても良い。時間とともに測定された該皮膚コンダクタンスは、皮膚コンダクタンスデータを形成する。
【００１９】
本実施例の変形例においては、前記着用可能装置は更に、ユーザの測定された皮膚コンダクタンス（皮膚コンダクタンスデータ）に基づいて、ストレスのかかる期間又はイベントを決定するように構成される。このようにして、ユーザの生活においてストレスのかかる期間が識別されることができる。ストレスのかかる期間又はイベントは、例えば皮膚コンダクタンス（皮膚コンダクタンスデータ）の特定の上昇勾配及び／又は特定の下降勾配に基づいて決定されることができる。ストレスのかかる期間又はイベントは、例えば皮膚コンダクタンス（皮膚コンダクタンスデータ）のピーク、とりわけ急な上昇勾配及びなだらかな下降勾配を持つピークを検出することにより、検出されても良い。一変形例においては、該着用可能装置自体が、ストレスのかかる期間又はイベントを決定するように構成された処理ユニットを有する。代替の変形例においては、該処理ユニットは別個の部分であり、該着用可能装置は皮膚コンダクタンスデータを該別個の部分に送信するための（無線）送信器を有する。
【００２０】
本実施例の変形例においては、前記皮膚コンダクタンス測定ユニットは、少なくとも部分的に前記筺体に配置される。このようにして、該皮膚コンダクタンス測定ユニットの電気回路が保護されることができる。
【００２１】
更なる実施例においては、前記弾性材料は、ユーザの手首の形状に追従するのに十分な弾性を持つ。このようにして、該着用可能装置は、ユーザの手首のまわりに取り付けられることができる。斯くして、該着用可能装置は、ユーザの手首のまわりに取り付けられるように構成されたリストバンドである。リストバンドを用いて手首において皮膚コンダクタンスを測定することは、目立たない測定の方法である。
【００２２】
更なる実施例においては、前記皮膚コンダクタンス電極が、手首の手のひら側に接触するように構成される。手首の手のひら側においては、通常は多くの毛がない。従って、皮膚コンダクタンスの適切な測定がもたらされ得る。
【００２３】
更なる実施例においては、本方法は更に、非弾性材料からつくられる筺体部分を形成するステップを有する。このようにして、より堅固な装置が提供され得る。
【００２４】
更なる実施例においては、前記弾性材料部分は、射出成型により形成される。このことは、とりわけ弾性材料が高分子又はゴムである場合に、該弾性材料部分を形成する特に容易な方法を表す。
【００２５】
更なる実施例においては、第１の射出成型ステップにおいて筺体部分が形成され、第２の射出成型ステップにおいて弾性材料部分が形成される。このことは、特に有利な２段階の射出成型工程を提供する。
【００２６】
本発明のこれらの及び他の態様は、以下に説明される実施例を参照しながら説明され明らかとなるであろう。
【図面の簡単な説明】
【００２７】
【図１】皮膚コンダクタンス測定ユニット又はセンサにより測定された皮膚コンダクタンスのトレースの第１の例を示す。
【図２】本発明によるものではない、皮膚コンダクタンス測定ユニット又はセンサにより測定された皮膚コンダクタンスのトレースの第２の例を示す。
【図３】本発明による着用可能装置の断面図を示す。
【図４】第１の実施例による着用可能装置の斜視図を示す。
【図５】第２の実施例による着用可能装置の斜視図を示す。
【図６】実施例による製造の方法の図を示す。
【図７】図６の方法を実行するときの、該着用可能装置の一部の斜視図を示す。
【図８】実施例による着用可能装置を用いて測定された皮膚コンダクタンスのトレースの第１の例を示す。
【図９】実施例による着用可能装置を用いて測定された皮膚コンダクタンスのトレースの第２の例を示す。
【図１０】実施例による着用可能装置を用いて測定された皮膚コンダクタンスのトレースの第３の例を示す。
【発明を実施するための形態】
【００２８】
図１は、例えばここで開示される着用可能装置に組み込まれた、皮膚コンダクタンス測定ユニット又はセンサにより測定された、又は該着用可能装置を用いて測定された、皮膚コンダクタンスのトレースの第１の例を示す。ｘ軸は数時間の期間に亘る時間を表し、ここでは約１６時（午後４時）から２２時３０分（午後１０時３０分）までである。斯くして、皮膚コンダクタンスのトレースは、数時間に亘って形成されている。図１において、ｙ軸は測定された皮膚コンダクタンス値をμＳで表し、該値は電気皮膚反応（ＧＳＲ）又は皮膚電位（ＥＤＡ）とも呼ばれる。皮膚コンダクタンスの相の各点は、特定の時間ｔにおいて皮膚コンダクタンス測定ユニット又はセンサにより感知された皮膚コンダクタンス値を示す。皮膚コンダクタンス（又はＧＳＲ若しくはＥＤＡ）は、皮膚の電気的なコンダクタンスの尺度であり、水分のレベルによって、従って汗腺の活動によって変化するものである。感情的なイベントが、急な上昇勾配及びなだらかな下降勾配を伴うピークとして現れる。図１において、各ピークは、感情的に興奮したイベント（迷走神経を介して皮膚の汗腺に伝達される）に対する交感神経系の応答に対応する。
【００２９】
皮膚コンダクタンスは、皮膚の電気抵抗の逆数である。皮膚の角質層が電気的な障壁を形成し、皮膚の抵抗を高くする。斯くして、皮膚の抵抗は主に、角質層の抵抗から成る。汗腺は、当該障壁即ち角質層における導電経路として機能する。汗腺の数と皮膚コンダクタンス値との間には、関連又は関係がある。
【００３０】
しかしながら、特定の割合のユーザについては、皮膚コンダクタンス測定値又は信号が、記録されるには低すぎるものとなり得る。図２は、本発明によるものではない、皮膚コンダクタンス測定ユニット又はセンサにより測定された斯かる皮膚コンダクタンスのトレースの例を示す。図２に示された皮膚コンダクタンス値又は信号は、大部分の時間の間、測定するには低すぎる。強い感情的なイベント又はストレス因子の影響のみが、図２の皮膚コンダクタンスのトレースにおいて見えている。
【００３１】
総人口に亘る皮膚コンダクタンスの範囲は、非常に大きいことが分かる。例えば、乾燥した皮膚のユーザは、ユーザの皮膚コンダクタンスを測定するときに、皮膚コンダクタンス測定ユニット又はセンサの範囲よりも信号が低くなるほど、低い皮膚コンダクタンスを持つ傾向がある。乾燥した皮膚の影響は、汗腺の活動度が低過ぎて、強い感情的なイベント又はストレス因子のみしか皮膚コンダクタンス応答を引き起こさないということであると考えられる。冷たい及び／又は乾いた周囲環境においては、皮膚は乾燥する傾向があり、同様に感情的なイベント又はストレス因子に対する皮膚コンダクタンス応答の悪化をもたらす。
【００３２】
図３は、一実施例による、ユーザによって着用可能な、ユーザの皮膚コンダクタンスを測定するための、着用可能装置１０の断面図を示す。着用可能装置１０は、ユーザの皮膚２に接触するための２つの皮膚コンダクタンス電極１２を有する。図３の実施例においては、ちょうど２つの皮膚コンダクタンス電極１２が利用されている。図３に示されるように、皮膚２は、最上層として角質層を有する。更に、皮膚２は、低部の皮膚層６を有する。汗腺８は、低部の皮膚層６から、角質層４を通って、皮膚２の上面まで延在している。斯くして、汗腺８は、角質層４における導電経路として機能する。
【００３３】
着用可能装置１０は、皮膚コンダクタンス電極１２を取り囲み、材料表面１６を形成する、弾性材料部分１４を有する。とりわけ、弾性材料部分１４は、電極１２を円周方向に包囲する。弾性材料部分１４の弾性材料は、気体及び液体の物質に対して非透過性である。例えば、該弾性材料は、水、水蒸気及び／又は空気に対して非透過性である。このようにして、着用可能装置１０がユーザにより着用されたときに、皮膚２と電極１２との間に流体膜２１が生成される。流体膜２１は、汗腺８からのユーザの（人間の）汗からつくられる。外部環境１９への流体の蒸発に加えた皮膚２（又は角質層４）の再取り込みを通した流体損失が、汗腺８を通した流体生成よりも低くなる。とりわけ、該弾性材料は空気に対して非透過性であるから、該弾性材料は通気性のないものである。とりわけ、該弾性材料は水に対して非透過性であるから、該弾性材料は透水性のないものである。このようにして、皮膚コンダクタンス電極１２のすぐ周囲又は該電極の近傍において安定した微気候が実現されることができる。斯くして、皮膚コンダクタンス電極１２を取り囲む弾性材料部分１４の使用は、湿潤な微気候を生成し、基本的に常に、基本的に全てのユーザに対して、皮膚コンダクタンス測定又はセンサデータを測定可能範囲内にとどまらせる。斯くして、全ての皮膚タイプ及び全ての周囲環境について、高い皮膚コンダクタンスレベルが実現されることができる。流体膜２１は、特に２つの電極１２間の領域に形成される。従って、該弾性材料（例えば高分子又はゴム）は、電極１２間にあっても良い。
【００３４】
弾性材料部分１４は、図３に示されるように、皮膚コンダクタンス電極１２がユーザの皮膚２に接触したとき、皮膚コンダクタンス電極１２の近傍において、エアポケット１８が封止されるように構成される。エアポケット１８を封止することにより、外部雰囲気１９からの、皮膚コンダクタンス電極１２を囲む小さな領域の密封した封止が実現される。エアポケット１８は、とりわけ２つの電極１２の間の領域に形成される。
【００３５】
該弾性材料は、とりわけ高分子又はゴムであっても良い。より具体的には、該弾性材料は、例えば約１００：４０の比のポリエーテルポリオール及び４，４'−ジフェニルメタンジイソシアネート（ＣＡＳ１０１−６８−８としても知られている）からつくられたポリウレタン樹脂混合物のような、特定の混合比のポリウレタン樹脂混合物であっても良い。当該材料はタイプ６１２０としても知られ、例えばMTT Technology Group社により製造されている。該弾性材料は、ユーザの手首の形状に追従するのに十分な弾性を持つ。このようにして、着用可能装置１０は、ユーザの手首のまわりに取り付けられるように構成されたリストバンドとして提供されても良い。
【００３６】
図３に示されるように、着用可能装置１０は、ユーザにより着用されたときに、ユーザの皮膚２に押し付けられ、着用可能装置１０又は弾性材料部分１４の端部が皮膚２に押し付けられる。更に図３を参照すると、皮膚コンダクタンス電極１２は、距離ｄだけ、材料表面１６から突出している。特に、皮膚コンダクタンス電極１２は、材料表面１６から５０乃至１０００マイクロメートルだけ突出しても良い。更には、該距離は１００乃至７００マイクロメートルであっても良い。図３に示されるように、皮膚コンダクタンス電極１２は、特定の距離だけ離隔された２つの別個の要素であっても良い。代替としては、２つの皮膚コンダクタンス電極は、互いに絶縁されている限り、単一の要素に一体化されても良い。
【００３７】
図３の実施例に示されているように、着用可能装置１０は更に、非弾性材料からつくられる筺体部分２０を有しても良い。特に、以上に説明されたように、弾性材料部分１４の弾性材料が特定の混合比のポリウレタン樹脂混合物である場合には、筺体部分２０は、異なる混合比を持つ同一のポリウレタン樹脂混合物からつくられたものであっても良い。
【００３８】
図４は、第１の実施例による着用可能装置１０の斜視図を示す。図５は、第２の実施例による着用可能装置１０の斜視図を示す。図４及び図５に示された着用可能装置１０の各々は、図３を参照しながら説明された着用可能装置１０であり得る。図４及び図５の実施例の各々において、該着用可能装置は、内蔵された皮膚コンダクタンス測定ユニット又はセンサを持つリストバンドである。着用可能装置１０は、皮膚コンダクタンス測定ユニットを有し、該皮膚コンダクタンス測定ユニットは、２つの皮膚コンダクタンス電極１２間においてユーザの皮膚コンダクタンスを測定するように構成される。
【００３９】
図４及び図５の実施例の各々において、リストバンドの形をとる着用可能装置１０は、リストバンド材料部分２２と筺体部分２０とを有する。リストバンド材料部分２２は、ユーザの手首のまわりに輪をつくることができる。着用可能装置１０は、足首、足又は腕のような、他のいずれの適切な身体部位のまわりに着用されても良いことは、理解されるであろう。図４及び図５の実施例の各々において、２つの皮膚コンダクタンス電極１２がリストバンド材料部分２２に組み込まれている。図３を参照しながら既に説明されたように、着用可能装置１０は、皮膚コンダクタンス電極１２を取り囲み、材料表面を形成する、弾性材料部分１４を有する。弾性材料部分１４の弾性材料は、皮膚コンダクタンス電極１２がユーザの（手首における）皮膚に接触したときに、気体及び液体の物質に対して非透過性である。このようにして、着用可能装置１０がユーザにより着用されたときに、皮膚と電極１２との間に流体膜が生成される。該流体膜は、汗腺からのユーザの（人間の）汗からつくられる。外部環境への流体の蒸発に加えた皮膚の再取り込みを通した流体損失が、汗腺を通した流体生成よりも低くなる。更に、該弾性材料部分は、皮膚コンダクタンス電極１２がユーザの（手首における）皮膚に接触したとき、皮膚コンダクタンス電極１２の近傍において、エアポケットが封止されるように構成される。
【００４０】
図４及び図５に示された実施例の各々において、弾性材料部分１４は、リストバンド材料部分２２の一部であるか又はリストバンド材料部分２２を形成する。リストバンド材料部分２２はまた、例えば布地材料部分のような、少なくとも１つの付加的な材料部分を有しても良い。該付加的な材料部分は、気体及び／又は液体の物質に対して透過性であっても良く、とりわけ通気性があっても良い。弾性材料部分１４は、斯かる付加的な材料部分に組み込まれても良い。皮膚コンダクタンス電極１２は、着用可能装置１０がユーザに装着されたとき又はユーザにより着用されたときに、通常は多くの毛がない手首の手のひら側に接触するように構成されても良い。斯くして、皮膚コンダクタンスの適切な測定がもたらされ得る。更に、手首の手のひら側においては、例えば手のひらにおけるよりも汗腺の密度が小さい。ここで記載される装置は、安定した流体膜の形成により、例えば手首の手のひら側における優れた流体生成と流体損失との平衡を実現する。
【００４１】
着用可能装置１０は更に、皮膚コンダクタンス電極１２間のユーザの皮膚コンダクタンスを測定するように構成された、皮膚コンダクタンス測定ユニットを有する。斯くして、着用可能装置１０は皮膚コンダクタンスセンサを有する。特に、該皮膚コンダクタンス測定ユニット又はセンサは、少なくとも２つの皮膚コンダクタンス電極間に電圧を印加するための電圧生成器、該少なくとも２つの電極間の電流を感知するための感知ユニット、及び／又は該感知された電流に基づいて皮膚コンダクタンスを算出するための算出ユニットを有しても良い。図４又は図５の実施例における皮膚コンダクタンス測定ユニットは、非弾性材料からつくられた筺体部分２０に配置される。このようにして、該皮膚コンダクタンス測定ユニットの電気回路が保護されることができる。皮膚コンダクタンス電極１２は、図４又は図５の実施例において、リストバンド材料部分２２に組み込まれた配線により、該皮膚コンダクタンス測定ユニットに接続される。
【００４２】
時間とともに測定された該皮膚コンダクタンスは、皮膚コンダクタンスデータを形成する。皮膚コンダクタンスデータは、例えば着用可能装置１０のメモリに保存されても良いし、又は（無線）送信器を用いて外部のユニットに（無線で）送信されても良い。一実施例においては、着用可能装置１０は更に、ユーザの測定された皮膚コンダクタンスデータに基づいて、ストレスのかかる期間又はイベントを決定するように構成される。このようにして、ユーザの生活においてストレスのかかる期間が識別されることができる。ストレスのかかる期間又はイベントは、例えば皮膚データの特定の上昇勾配及び／又は特定の下降勾配に基づいて決定されることができる。ストレスのかかる期間又はイベントは、例えば皮膚コンダクタンスデータのピーク、とりわけ急な上昇勾配及びなだらかな下降勾配を持つピークを検出することにより、検出されても良い。一実施例においては、着用可能装置１０は、ストレスのかかる期間又はイベントを決定するように構成された処理ユニットを有する。別の実施例においては、該処理ユニットは別個の部分であり、着用可能装置１０が（無線）送信器を介して皮膚コンダクタンスデータを該別個の部分に送信する。
【００４３】
図４又は図５の実施例においては、リストバンド材料部分２２は、締結部分２４を用いて閉じたループを形成する。図４の実施例においては、該締結部分は、Velcro（登録商標）ファスナとしても知られる、マジックテープ（登録商標）の形をとる。図５の実施例においては、締結部分２４は、例えば腕時計に一般的に用いられているピンファスナの形をとる。その他のいずれの適切な締結部分２４が利用されても良いことは、理解されるであろう。図５に示されるように、着用可能装置１０は更に、外側面においてボタン２６を有しても良い。ボタン２６は例えば、着用可能装置１０をスイッチオン及び／又はオフするために、又はより具体的には皮膚コンダクタンス測定ユニット又はセンサをスイッチオン及び／又はオフするために、使用されても良い。
【００４４】
図６は、一実施例による製造の方法の図を示す。本方法は特に、ユーザの皮膚コンダクタンスを測定するための、ユーザにより着用可能な、図３、図４又は図５に関連して以上に説明された着用可能装置を製造するためのものである。第１のステップＳ１０１において、例えば第１の射出成型ステップを用いて、非弾性材料からつくられる筺体部分２０が形成される。一例においては、以上に説明されたように、当該非弾性材料は、ポリウレタン樹脂混合物であっても良い。次いで、第２の射出成型ステップＳ１０２において、弾性材料部分１４が形成される。一例においては、当該弾性材料は、以上に説明されたように、とりわけタイプ６１２０の、ポリウレタン樹脂混合物であっても良い。
【００４５】
斯かる筺体部分２０の一例が、図７に示されている。図７は、図６の方法を実行するときの、着用可能装置１０の一部、即ち筺体部分２０の斜視図を示す。筺体部分２０は例えば、図５に示された着用可能装置の筺体部分であっても良い。筺体部分２０はまた、特に図５を参照しながら説明されたピンファスナのような、締結部分２４の一部が配置された装着部分を有しても良い。図７に示されるように、形成された筺体部分２０は、弾性材料部分１４が第２の射出成型ステップにおいて形成されることができるように形成された、射出成型金型３０に配置される。
【００４６】
第３のステップＳ１０３において、ユーザの皮膚に接触するための少なくとも２つの皮膚コンダクタンス電極が、弾性材料部分１４に備えられる又は配置される。斯くして、皮膚コンダクタンス電極１２が、弾性材料部分１４を取り囲む。皮膚コンダクタンス電極１２を備えるステップＳ１０３は、第２の射出成型ステップＳ１０２の前に実行されても良い。
【００４７】
次いで、最後のステップＳ１０４において、皮膚コンダクタンス測定ユニットが該着用可能装置に配置される。図７に示されるように、該皮膚コンダクタンス測定ユニット（電気回路）は、筺体部分２０内に形成された開いた空間３１に配置されても良い。リストバンド材料部分２２又は弾性材料部分１４は、筺体部分２０に固定的に且つ着脱可能に装着されても良い。
【００４８】
ここで説明される着用可能装置１０がユーザの皮膚に接触したとき、とりわけリストバンドがユーザの手首の手のひら側に接触したとき、該着用可能装置を装着した後に、例えば少なくとも１０分又は少なくとも１５分といった、数分の安定化時間が必要とされる。当該安定化時間の後、皮膚コンダクタンス値又はデータが、測定するのに十分に高く安定したものとなる。
【００４９】
図８は、本発明による着用可能装置、特に前述した図とともに説明された着用可能装置１０を用いて測定された、皮膚コンダクタンスのトレースの第１の例を示す。図８に示されるように、皮膚コンダクタンス値（皮膚コンダクタンス信号）は、最初の約１０分で約１０倍増大している。当該最初の上昇の後、該着用可能装置を着用しているユーザの汗腺の活動によってのみ、信号変化が引き起こされる。該着用可能装置を用いた皮膚コンダクタンス測定の最初の約２０分において、流体膜の形成がみられる。皮膚コンダクタンス値は、最初に鋭く増大し、流体膜が完成したときに安定する。それ故、制限された流体の気化により、図８に示されるように、測定される皮膚コンダクタンス値（皮膚コンダクタンス信号）の、ゆるやかな下降勾配がある。例えばストレスのかかる期間の後、該流体膜は、皮膚コンダクタンスを、皮膚電気反応（例えば約１０乃至２０秒）よりもかなり長い時間（例えば約３０分にも及ぶ）の間、高くする。皮膚コンダクタンス値のゆるやかな低下は、皮膚の角質層による再取り込みの結果である。しかしながら、気体及び液体の物質に対して非透過性である弾性材料（例えばゴム）のため、気化による流体の損失は低減され又は除去され（又は最小化され）、皮膚による再取り込のみを残す。
【００５０】
図９は、一実施例による着用可能装置、特に前述した図とともに説明された着用可能装置１０を用いて測定された、により測定された皮膚コンダクタンスのトレースの第２の例を示す。図９においては、該着用可能装置（又はリストバンド）は、約３０秒間（約１６時０３分と１６：０５分との間の時刻）だけ取り外された。しかしながら、当該短い中断は、該着用可能装置が再び装着された後は、皮膚コンダクタンス測定レベルに影響を与えていない。図９に示されるように、該着用可能装置が取り外された短い継続時間の断絶の後も安定している。このことは、以上に説明した安定した微気候が構築されているという事実によるものである。当該微気候は、密封した封止による皮膚の湿潤化により引き起こされる。斯くして、例えば３０秒ほどの短い期間の該着用可能装置の取り外しは、皮膚コンダクタンスのレベルに影響を与えない。
【００５１】
図１０は、一実施例による着用可能装置、特に前述した図とともに説明された着用可能装置１０を用いて測定された、により測定された皮膚コンダクタンスのトレースの第３の例を示す。図１０においては、約７時間０５分と７時１０分との間に、ユーザは該着用可能装置を取り外し、シャワーを浴びて、その後に皮膚を乾かした。次いで該ユーザは、再び該着用可能装置を装着した。図１０に示されるように、シャワーを浴びてその後に皮膚を乾かしたことにより引き起こされた皮膚の脱水の影響が、密封した封止による皮膚の湿潤化の前のレベルから、最初のレベルにまで、皮膚コンダクタンスレベルを低下させている。
【００５２】
該着用可能装置を装着した後の皮膚コンダクタンス上昇のプロファイルは、モデル化されても良い。次いで、当該上昇の効果に対して皮膚コンダクタンス信号が補正されて、該着用可能装置を装着した後の最初の数分間において、信頼性の高い皮膚コンダクタンス値又は信号を得ても良い。
【００５３】
本発明は図面及び以上の記述において説明され記載されたが、斯かる説明及び記載は説明するもの又は例示的なものであって限定するものではないとみなされるべきであり、本発明は開示された実施例に限定されるものではない。図面、説明及び添付される請求項を読むことにより、請求される本発明を実施化する当業者によって、開示された実施例に対する他の変形が理解され実行され得る。
【００５４】
請求項において、「有する（comprising）」なる語は他の要素又はステップを除外するものではなく、「１つの（a又はan）」なる不定冠詞は複数を除外するものではない。単一の要素又はその他のユニットが、請求項に列記された幾つかのアイテムの機能を実行しても良い。特定の手段が相互に異なる従属請求項に列挙されているという単なる事実は、これら手段の組み合わせが有利に利用されることができないことを示すものではない。
【００５５】
請求項におけるいずれの参照記号も、請求の範囲を限定するものとして解釈されるべきではない。
【図１】
2014523782.tif 000003
【図２】
2014523782.tif 000004
【図３】
2014523782.tif 000005
【図４】
2014523782.tif 000006
【図５】
2014523782.tif 000007
【図６】
2014523782.tif 000008
【図７】
2014523782.tif 000009
【図８】
2014523782.tif 000010
【図９】
2014523782.tif 000011
【図１０】
2014523782.tif 000012
【国際調査報告】
2014523782.tif 000013
2014523782.tif 000014